(57)【要約】      （修正有）【課題】個人識別機能(カスタマーＩＤ)を有する通信アプリをダウンロードした携帯端末等を利用して、実際の神社参拝により有効化させることができる、バーチャルでない通信祈願システムの提供。【解決手段】参拝して購入されるお守りにＱＲコード（登録商標）によりカスタマーＩＤが付され、このＱＲコードで通信アプリをコンテンツサーバ４００から携帯端末３００にダウンロードさせると、この通信アプリを有する携帯端末３００が通信お守り１０携帯となり、これを利用してセンターサーバ５００に祈願通信を行うと、該センターサーバ５００を介して各神社通信端末３００に祈祷依頼なされる。祈祷が終了すると各神社通信端末２００から祈祷報告がセンターサーバ４００を介して各携帯端末３００に送信されるシステム。【選択図】図１
2012239502.tif 000002
【特許請求の範囲】
【請求項１】
識別情報として少なくとも読み取り可能なカスタマーＩＤを付された通信お守りと、
お守り等を販売した各神社に配置され、参拝と同時にお守りおよび携帯端末にダウンロードされたお守りのカスタマーＩＤを読み取るリーダと、
各神社のリーダからカスタマーＩＤとともに神社ＩＤ、参拝日時等を登録センターに送信する一方、登録センターからの各種通信を受信する神社通信端末と、
前記お守りのカスタマーＩＤを読み取る機能を備え、読み取りした情報データを送信する携帯端末またはＰＣと、
前記携帯端末等からの通信をインターネットを介して受け、各神社に対する通信参拝機能を付与する通信アプリを携帯端末またはＰＣに送信するコンテンツサーバと、
前記神社通信端末から各種送信信号を受けてお守りのカスタマーＩＤを神社ＩＤともにを初期登録するだけでなく、各参拝毎に各神社のリーダで読み取った参拝信号を神社通信端末から受けて参拝記録を登録可能である一方、前記コンテンツサーバから入手した通信アプリを介して携帯端末等からの通信祈願を受信可能で、該通信祈願を前記神社通信端末に送信する可能であるセンターサーバからなる登録センターと、
登録センターに登録されたカスタマーＩＤと携帯端末又はＰＣからの送信されるカスタマーＩＤとを照合し、一致したとき、コンテンツサーバから携帯端末等への通信アプリのダウンロードを許可し、また該通信アプリを介して登録センターへの祈願通信を許可する手段とを備え、
前記アプリを有する携帯端末を介して、前記登録センターのセンターサーバは各祈願通信を神社通信端末に送信して各神社通信端末で祈願通信を集計することを特徴とする通信祈願システム。
【請求項２】
前記神社リーダは各参拝データを神社通信端末から登録センターに送信して祈願パワーを蓄積し、蓄積された祈願パワーの有効時で、携帯端末又はＰＣからの送信されるカスタマーＩＤと登録センターの登録カスタマーＩＤを照合し、一致したときのみ祈願通信を許可する請求項１記載の通信祈願システム。
【請求項３】
祈願通信するときは神社リーダを課金して有効化し、お守りをかざしてカスタマーＩＤと送信するとともに祈願音声を送信して祈祷対象として登録センターに登録する請求項１記載の通信祈願システム。
【発明の詳細な説明】
【技術分野】
【０００１】
本発明は、個人識別機能(カスタマーＩＤ)を有する通信アプリをダウンロードした携帯端末等を利用して、実際の神社参拝により有効化させることができる、バーチャルでない通信祈願システムに関する。
【背景技術】
【０００２】
神社・仏閣へ参拝し購入していたおみくじ、お守り、絵馬等を、容易に取得できるシステムとして、バーチャル購入システムが提案されている（特許文献１）。
【０００３】
しかしながら、神社・仏閣のお守りは、神社仏閣にお参りした者に対し販売されるもので、神社・仏閣で予めお守りに対し祈祷されるため、お守りには神社・仏閣のご利益が化体する。そのため、大勢の人が神社・仏閣のお守りを買い求めるのであり、参拝せずバーチャルな購入は御利益があるかどうか疑心暗鬼になるものである。
【０００４】
そこで、神社・仏閣で祈祷済みの祈祷済お守り画像データを配信することができ、配信先の携帯端末を神社・仏閣のお守りと同等のご利益があるお守りとして広く一般のユーザーが利用できる祈祷済お守り画像を配信する技術が提案されている（特許文献２）。
【先行技術文献】
【特許文献】
【０００５】
【特許文献１】特許公開２００２−２７３０４１号公報
【特許文献２】特許公開２００３−３０２００号公報
【発明の開示】
【発明が解決しようとする課題】
【０００６】
この祈祷済お守り画像配信システムでは、一般会員に配信する配信画像が、神社・仏閣で祈祷済のお守り画像データであり、該お守り画像データを格納して管理するお守り画像データベースと、お守り画像の配信要求があると、前記お守り画像データベースから所望の祈祷済のお守り画像データを検索して、一般会員の通信端末に配信するお守り画像配信手段とを備え、一般会員の通信端末からお守り画像データの配信要求があると、お守り画像配信手段によって、配信要求の検索条件に応じて、お守り画像データベースから所望の祈祷済お守り画像データが検索され、当該一般会員の通信端末に配信されるようになっているため、実際に足を運んで参拝し、祈祷をして購入したお守りでなく、祈祷依頼は各個人特有の依頼にも関わらず、祈祷済のお守りは既に購入者の特定もなく、同一の画像データが広く携帯端末に配信されるだけで神社・仏閣に参拝し購入した特定のお守りと同等のご利益があるが疑わしくなるというバーチャル取引の欠点を有している。
【０００７】
そこで、本発明の目的は、神社仏閣に参拝して購入できるお守り又はお札の購入者を特定し、購入者固有のカスタマーＩＤを神社仏閣で登録する一方、その購入者に限り一定の有効期限内で継続してネット配信によって特定の神社仏閣と祈願通信できるようにして御利益パワーを取得できるシステムを提供することにある。
第1の課題はお守り又はお札の購入者を特定するカスタマーＩＤを付与し、これを神社仏閣で登録する一方、お守り購入者の各個人の携帯端末等の通信手段を介してカスタマーＩＤを持って通信することによって通信祈願することができるようにすることにある。
第2の課題は、神社仏閣に実際に参拝し、お参りした者のみに付与されるカスタマーＩＤのコードの不正な複製の使用を極力排除できるシステムを構築することによりカスタマーＩＤを有効利用できるようにすることにある。
【課題を解決するための手段】
【０００８】
本発明は、識別情報として少なくとも読み取り可能なカスタマーＩＤを付された通信お守りと、
お守り等を販売した各神社に配置され、参拝と同時にお守りおよび携帯端末にダウンロードされたお守りのカスタマーＩＤを読み取るリーダと、
各神社のリーダからカスタマーＩＤとともに神社ＩＤ、参拝日時等を登録センターに送信する一方、登録センターからの各種通信を受信する神社通信端末と、
前記お守りのカスタマーＩＤを読み取る機能を備え、読み取りした情報データを送信する携帯端末またはＰＣと、
前記携帯端末等からの通信をインターネットを介して受け、各神社に対する通信参拝機能を付与する通信アプリを携帯端末またはＰＣに送信するコンテンツサーバと、
前記神社通信端末から各種送信信号を受けてお守りのカスタマーＩＤを神社ＩＤともにを初期登録するだけでなく、各参拝毎に各神社のリーダで読み取った参拝信号を神社通信端末から受けて参拝記録を登録可能である一方、前記コンテンツサーバから入手した通信アプリを介して携帯端末等からの通信祈願を受信可能で、該通信祈願を前記神社通信端末に送信する可能であるセンターサーバからなる登録センターと、
登録センターに登録されたカスタマーＩＤと携帯端末又はＰＣからの送信されるカスタマーＩＤとを照合し、一致したとき、コンテンツサーバから携帯端末等への通信アプリのダウンロードを許可し、また該通信アプリを介して登録センターへの祈願通信を許可する手段とを備え、
前記アプリを有する携帯端末を介して、前記登録センターのセンターサーバは各祈願通信を神社通信端末に送信して各神社通信端末で祈願通信を集計することを特徴とする通信祈願システムを提供するものである。
【０００９】
通信お守りは通常のお守り、お札だけでなく、絵馬、護符、縁起物等各種祭礼に使用されるものを含む。また、読み取り可能なカスタマーＩＤを付された通信お守りとはＲＦＩＤタグ、一次元又は二次元コードなどの光学的読み取りコードによって付与されるカスタマーＩＤである。携帯端末がＲＦＩＤタグの読み取り機能を有する場合はＱＲコードがなくても神社参拝時の登録と携帯端末を介して神社登録センター（神社ホームページを含む）への祈願通信を行うことができ、神社側のリーダが光学的読み取り機能を有する場合は神社参拝時の登録は神社リーダを介して行い、携帯端末を介して各神社のセンターサーバに接続して登録されたカスタマーＩＤを照合することにより各神社のお守り又はお札アプリを購入可能とし祈願通信を可能とすることができる。
【００１０】
前記ＲＦＩＤは各神社に配置されたリーダに参拝と同時に誘導電磁界又は電波により非接触で半導体メモリのデータを読み出し、書き込みのために近距離通信を行い、各リーダから購入されたお守り又はお札のカスタマーＩＤがセンターに登録されるようにするとともに、ＱＲコード等を携帯端末を介して光学読み取り、インターネットを介して各神社の登録センターに接続して登録されたカスタマーＩＤを照合することにより各神社のお守り又はお札アプリを購入可能とし、お守りのカスタマーＩＤの各寺院センターへ登録を行う一方、神社アプリを取得して神社センターに祈願通信を行う場合に、ＩＤ照合を行い、虚偽登録を防止することができる。この種管理システムとして、前記リーダに繋がるリモートコードリーダシステムは、各々が、ネットワークに接続可能な対応する通信端末に接続され、コードを読み込む一または複数のローカルコードリーダと、前記複数のローカルコードリーダが送出した複数の前記コードを受信するホストコンピュータと、を備え、前記ローカルコードリーダの各々は、読み込んだ前記コードを、前記ネットワーク及び前記対応する通信端末を介して、前記ホストコンピュータに送出する送出手段を含み、前記ホストコンピュータは、前記ローカルコードリーダの側の識別情報と前記コードとを関連付けたデータベースと、前記通信端末から前記コード及び前記ローカルコードリーダの側の識別情報を受信する受信手段と、前記データベースにアクセスして、受信した前記コードに前記識別情報が関連付けて登録されているか否かを照合する照合手段と、前記照合手段による照合の結果、登録されていない場合、受信した前記コードに受信した前記識別情報を関連付けて前記データベースに登録する登録手段と、前記照合手段による照合の結果、登録されている場合、受信した前記コードに関連付けて登録されている前記識別情報と、受信した前記識別情報と、を比較する比較手段と、前記照合手段による照合の結果、受信した前記コードに前記識別情報が関連付けて登録されていない場合、又は、前記比較手段による比較の結果、登録されている前記識別情報と、受信した前記識別情報と、が一致した場合、受信した前記コードに応じた処理を実行する処理手段と、前記比較手段による比較の結果、登録されている前記識別情報と、受信した前記識別情報と、が不一致の場合、受信した前記コードに関係なく、第１所定処理を実行する排除手段と、を含むシステムを利用することができる（例えば、特開２００９−１５１６９９）。
【００１１】
本発明の構成によれば、神社仏閣に参拝した者のみが購入するお守りまたはお札に神社の参拝を読み取り、登録するシステムをもってお守りまたはお札を購入した者にカスタマーＩＤを付与して神社の登録センターに登録する一方、携帯端末機能を活用してお守りアプリを購入させ、神社に対し祈願通信を可能とさせることができるので、携帯端末に対し通信祈願機能を持たせ、通信お守り化を達成することができる。
また、本発明の構成によれば、コードとローカルコードリーダの側の識別情報とを関連付けたデータベースを有し、受信したコードに識別情報が関連付けて登録されていない場合、当該コードが最初に購入したユーザから送信され、オリジナルであるとみなし、当該コードに関連付けて、受信した識別情報を登録すると共に、本システムによるサービス（コードに応じた処理）を提供する。そして、受信したコードに識別情報が関連付けて登録されている場合、登録されている識別情報と、受信した識別情報と、を比較する。両者が一致した場合、当該コードがオリジナルであるとみなし、本システムによるサービス（コードに応じた処理）を提供する。一方、両者が不一致ならば、最初に購入したユーザ以外の者から送信され、当該コードが複製されたものとみなし、当該コードに関係なく、第１所定処理を実行する。第１所定処理は、例えば、エラーメッセージの返信や周知のポータルサイトのＵＲＬの返信など、本システムによるサービス（コードに応じた処理）を拒絶する処理である。従って、オリジナルのコードの不正な複製の使用を極力排除できる。
【００１２】
上記システムにおいて、前記コードは、一次元コード、二次元コード、及び／又はＩＣタグに格納されたコードで、例えば、前記一次元コードは一次元バーコードであり、前記二次元コードはＱＲコードであり、前記ＩＣタグはＲＦＩＤタグタグである。また、センターサーバ５００にコンテンツサーバ４００の機能を兼ねさせ、各神社のホームページを形成するようにしてもよい。
【図面の簡単な説明】
【００１３】
【図１】本発明の通信祈願システムの全体を示す概要図である。
【発明を実施するための最良の形態】
【００１４】
次に、本発明の実施例について説明する。図1は、本発明の実施例における全体システム構成を示す説明図で、通信お守り１０、神社リーダ１００、神社通信端末２００、携帯端末又はＰＣ３００、コンテンツサーバ４００及びセンターサーバ５００とからなり、インターネットに代表されるネットワークＮＴにより接続されている。
【００１５】
通信お守り１０はお守り袋内にカスタマーＩＤを付与するＲＦＩＤタグ２０又は光学的読み取りコード３０とを備えるシートまたはカードが収納されており、ＲＦＩＤタグ２０は半導体チップ２１とアンテナ２２とからなり、誘導磁界または電波によって非接触で半導体チップ２１のメモリデータを読み出し、書き込みのために近距離通信を行う機能を有し、識別情報としてカスタマーＩＤ及び神社ＩＤを付されている。他方、光学的読み取りコード３０はＱＲコードからなり、識別情報としてカスタマーＩＤ、神社ＩＤおよび神社アドレス等のＵＲＬ情報を含む。その他の一次元又は二次元コードを利用することもできる。
【００１６】
リーダ１００はお守り等を販売する各神社に配置され、参拝と同時に誘導電磁界又は電波により非接触で前記ＲＦＩＤタグの半導体メモリのデータを読み出し、書き込みのために近距離通信を行うＲＦＩＤタグリーダからなるが、通信お守り１０がＱＲコード等３０だけからなる場合は光学的読み取りリーダであってもよい。或いはＱＲコード等をＲＦ信号に変換するインターフェースＩ／Ｆ３０８を介してＲＦＩＤタグリーダを使用するようにしてもよい。リーダ１００は常時読み取り可能な状態として置き、祈祷料及びお賽銭の課金時に、課金データが神社通信端末２００からセンターサーバ５００に送信されるようにしてもよい。
【００１７】
各神社の通信端末２００はリーダ１００から受信したカスタマーＩＤとともに神社ＩＤ、参拝日時等をセンターサーバ５００に送信する一方、センターサーバ５００からの指令を受信する端末である。
【００１８】
センターサーバ５００は前記神社通信端末から送信信号を受けてお守り購入時のカスタマーＩＤを神社ＩＤとを初期登録するだけでなく、各参拝毎に各神社のリーダで読み取った参拝信号を神社通信端末から受けて参拝記録を登録可能である登録センターである。登録センターは神社通信端末１００と各クライアントの携帯端末又はＰＣ３００との各種通信を管理する機能を果たし、Ｙａｈｏｏ又はＧｏｏｇｌｅ等のサーバ会社を利用して運営することができる。
【００１９】
携帯端末又はＰＣ３００は、通常前記光学的読み取りコードを読み取るリーダを備え、光学読み取りした情報を、コンテンツサーバ４００に送信するとともに前記登録センターに送信する。通信お守り１０がＲＦＩＤタグ２０のみ備える場合は光学的読み取りリーダに代えてＲＦＩＤタグリーダを備える必要がある。
【００２０】
コンテンツサーバ４００は携帯端末４００などの前記光学的読み取りコードの情報信号をインターネットを介して受け、各神社のお守り又はお札通信アプリを携帯端末またはＰＣに送信する機能を備え、ｄｏｃｏｍｏ，ａｕ，ｓｏｆｔｂａｎｋなど各社サーバを利用して運営することができる。
【００２１】
アプリ購入後の携帯端末３００は前記アプリを介して参拝時のＩＤを登録した登録センターのセンターサーバに対し祈願通信を有料または無料で行うことができ、登録センターのセンターサーバは各祈願通信を神社通信端末に送信して各種祈祷を行うことになるので、携帯端末に通信お守り機能を持たせることができる。
【００２２】
以下、具体的ルーチンを図１に基づいて説明する。
１００は神社内に設置されるＲＦＩＤタグリーダで、通信端末２００に接続される。通信お守り１０のＲＦＩＤタグ２０を参拝時に神社リーダ１００にかざして神社参拝を行うと、リーダ１００はそれを読み取り（Ｓ１０１）、神社の通信端末２００に送信する（Ｓ１０２）。通信端末はその参拝信号をセンターサーバ５００に送信し（Ｓ１０３）、センターサーバ５００はカスタマーＩＤ及び神社ＩＤとともに参拝日時を登録する。次いで、お守り１０のＱＲコード３０を携帯端末３００に読み取らせ（Ｓ２０１）、それに基づき、コンテンツサーバ４００に接続すると（Ｓ２０２）、コンテンツサーバ４００は携帯端末３００にセンターサーバ５００への接続のための通信アプリをダウンロードさせる（Ｓ２０３）。そこで、カスタマーは携帯端末３００を用いて通信アプリを介してセンターサーバ５００に対し祈願通信を行うと（Ｓ２０４）、センターサーバ５００はこれを受け付け、神社通信端末２００に祈願依頼を通知する（Ｓ２０５）。神社は通信端末に送信された依頼書を打ち出し、これを祈祷するとともに、神社の通信端末２００から祈祷報告を受ける（Ｓ２０６）と、祈祷済み報告をセンターサーバ５００を介して各携帯端末３００に通信する（Ｓ２０７）。祈祷料又はお賽銭は神社参拝でのリーダ１００での読み取り時に実マネー又は電子マネーによる課金によりリーダを有効化させ、リーダ１００の読み取りを通信端末２００を介してセンターサーバ５００に記録させ、祈祷有効期間の管理をすることもできる。
【００２３】
また、撮像部を別体の携帯端末３００側に設ける場合は、内蔵のカメラ３０７によりＱＲコードを認識させ、ＲＦＩＤタグ２０の機能をＱＲコード３０の光学的読み取りにより実現することができる。この場合、前記携帯端末３００は、携帯端末の各種機能を制御するＣＰＵ３０１、ワークエリアなどに利用されるＲＡＭ３０２、携帯端末の各機能を実現するプログラムなどを記憶するＲＯＭ３０３、カメラ３０７とこれをコントロールするカメラコントローラ３０６、撮影ボタン３０９などとのインタフェースを司るＩ／Ｏ３１２、ＲＦＩＤタグ−Ｉ／Ｆ３０８、これらを相互に接続するバス３１５などを備える。ＲＦＩＤタグ−Ｉ／Ｆ３０８は、リーダ１００との間でデータの授受を行なうためのインタフェースである。このインタフェースは、ＲＦＩＤタグのタグとの通信用に規格化されたものであり、携帯端末３００を、神社通信端末２００に設けられたＲＦＩＤタグリーダ１００に近接させることにより、両者の間で、データの授受が可能となっている。なお、携帯端末３００と神社通信端末２００との間の通信手段として、本実施例ではＲＦＩＤタグ（Radio Frequency Identification）を用いたが、赤外線通信やBluetooth（商標）などの無線通信を用いることも可能である。
【００２４】
次に、実施例における神社通信端末２００への固有情報の設定の手順について説明する。実施例では、撮像部が携帯端末３００を用いて実現されていることから、処理は、携帯端末３００のＣＰＵ３０１が実行する固有情報取得処理と、神社通信端末２００のＣＰＵが実行する固有情報設定処理とに別れている。
【００２５】
神社通信端末２００の利用を開始しようとする利用者は、まず携帯端末３００と神社から入手した固有情報が印刷されたお守り１０を用意する。お守り１０には、利用契約をした利用者のＩＤとパスワードが印刷されており、同じ面にこれらをコード化したＱＲコード３０が印刷されている。この用紙１１を用意した利用者は、まず、携帯端末３００を操作して、固有情報取得処理ルーチンを起動する。この処理ルーチンは、通常は携帯端末３００にインストールされてはいないので、コンテンツサーバ４００に携帯端末３００を使ってアクセスすることにより、携帯端末３００内にダウンロードされる。もとより、この処理用プログラムは、メモリカードなどによって、携帯端末３００内にインストールしても良いし、神社のＲＦＩＤタグリーダ１００を介して、読み込むものとしてもよい。
【００２６】
いずれかの手法で、固有情報取得処理ルーチンを起動すると、ＣＰＵ３０１は、撮影ボタン３０９が押されるまで待機する。撮影ボタン３０９は、例えば携帯端末３００に予め設けられたカメラの撮影キーを用いる。利用者により撮影ボタン３０９が操作されたことを検出すると、ＣＰＵ３０１は、カメラコントローラ３０６にカメラ起動の命令を出力する。カメラ起動命令にてカメラコントローラ３０６はカメラ３０７が起動し、利用者がカメラ３０７にＱＲコード２１が写るように用紙２０を近づけると、カメラ３０７に写っている画像がＱＲコード２１であるかどうかの認識作業を開始する。
【００２７】
固有情報取得完了後、取得した固有情報は一時的にＲＡＭ３０２に記憶される。同時に、利用者に対して固有情報の取得が完了したことを知らせるため、ＣＰＵ３０１は携帯端末３００の液晶画面に「固有情報取得」を表示させる。
【００２８】
液晶画面に表示された「固有情報取得」表示を視認した利用者は、ＲＦＩＤタグ−Ｉ／Ｆ３０８を介した無線通信により、携帯端末３００に記憶した固有情報を神社通信端末２００に送信する。
【００２９】
利用者は固有情報が記憶されている携帯端末３００のＲＦＩＤタグ−Ｉ／Ｆ３０８と神社通信端末２００のＲＦＩＤタグリーダ１００を無線通信可能な距離まで近づけ、携帯端末３００の通信ボタン３１０を操作する。また利用者は、この通信ボタン３１０の操作と前後として、神社通信端末２００の登録ボタンを操作する。通信ボタン３１０が操作されると、ＣＰＵ３０１はＲＦＩＤタグ−Ｉ／Ｆ３０８を介して、ＲＦＩＤタグリーダ２０８を認識する処理を行う。
【００３０】
一方、神社通信端末２００のＣＰＵは、登録ボタン２１４が押されたことを認識すると、ＲＦＩＤタグリーダ１００を起動し、通信相手のＲＦＩＤタグを認識する処理を試みる。ＲＦＩＤタグの規格に従い、データのやり取りが可能な距離に近接した機器は、アンチコリジョンなどの処理を行い、互いに通信可能なことを認識する。従って、携帯端末３００を実行し、神社通信端末２００を実行すると、両者は互いに通信可能な状態となる。
【００３１】
ＲＦＩＤタグ−Ｉ／Ｆ３０８がＲＦＩＤタグリーダ１００を認識し、電磁波を用いた情報のやり取りを行う準備ができると、携帯端末３００のＣＰＵ３０１は、ＲＡＭ３０２に記憶された固有情報を読み出して、ＲＦＩＤタグ−Ｉ／Ｆ３０８からＲＦＩＤタグリーダ１００に対して固有情報を送信する処理を行う。携帯端末３００は、固有情報を送信すると、相手側から受信完了の信号を受信するまで待機し、受信完了の信号を受信すると、「ＥＮＤ」に抜けて、処理ルーチンを完了する。
【００３２】
他方、登録ボタンが操作されて、ＲＦＩＤタグリーダ１００を起動した神社通信端末２００は、ＲＦＩＤタグリーダ１００を介して、ＲＦＩＤタグ−Ｉ／Ｆ３０８から送られた固有情報を受信する。神社通信端末２００は、受信した固有情報をＥＥＰＲＯＭの予め用意された所定のアドレスに記憶すると共に、ＲＦＩＤタグリーダ１００を介して、固有情報の受信完了信号の送信を行う。固有情報の受信を完了した旨の信号は、ＲＦＩＤタグリーダ１００から、ＲＦＩＤタグ−Ｉ／Ｆ３０８を介して送信される。携帯端末３００のＣＰＵ３０１は、上述したようにこれを認識して、その処理を完了する。
【００３３】
以上の処理を行うことにより、神社通信端末２００は、ＱＲコード３０が印刷されていた用紙１０から、固有情報を取得することができる。取得した固有情報を用いて神社通信端末２００が行う接続設定処理は、具体的には、神社通信端末２００のＣＰＵは、固有情報を設定し、ネットワークに接続し、接続を完了する。
【００３４】
以上説明したように、本実施例の神社通信端末２００及び携帯端末３００を用いてネットワークへの接続設定を行う際には、利用者はお守り１０に印刷されたＱＲコード３０を携帯端末３００のカメラ３０７で撮影し、携帯端末３００が取得した固有情報をＲＦＩＤ−Ｉ／Ｆインターフェース３０８による無線通信によって神社リーダ１００に送信する。これをリーダ１００が神社通信端末２００に送信することにより処理が完了する。
【００３５】
本発明は上記の実施例や実施形態に限られるものではなく、その要旨を逸脱しない範囲において種々の態様において実施することが可能である。例えば次のような変形が可能である。上記実施例では、神社通信端末２００が固有情報を取得する相手として、ＱＲコードから固有情報を取得した携帯端末３００を用いたが、こうした構成に代えて、予め固有情報をデジタルデータとして記録したＲＦＩＤタグタグ２０を用いるものとしてもよい。ＲＦＩＤタグタグ２０はお守り１０内に設け、カスタマーはＲＦＩＤタグタグ２０に記録された固有情報を神社通信端末２００のＲＦＩＤタグリーダ１００にかざして読み込ませることによって接続設定を行う。この変形例においては、実質上利用者が行う接続設定作業はＲＦＩＤタグタグを神社通信端末と通信可能な距離に接近させて登録ボタンを操作するのみであるので、作業は極めて容易なものとなり利用者の負担は著しく軽減される。
【００３６】
このほか、固有情報はＱＲコードではなく、通常のバーコードなどにより符号化しても良いし、あるいはＩＤとパスワードを、そのまま用紙上に記載しておき、これを撮像したあと、ＯＣＲの機能により、コード化するものとしても良い。この場合には、神社側では、認証用の固有情報をこれまでと同様の形態でカスタマーに通知すれば良い。固有情報を符号化する方法としては、既存の各種技術を用いることができる。
【図１】
2012239502.tif 000003